【事件の表示】
　特願２０１６−１７４５２４「表示操作装置、その制御方法及び画像処理装置」拒絶査定不服審判事件〔平成２９年　２月２３日出願公開、特開２０１７−　４０９２７〕について、次のとおり審決する。
【結　論】
　本件審判の請求は、成り立たない。
【理　由】
１．手続の経緯
　本件出願は、平成２２年７月２２日（以下、「原出願日」という。）に出願された特願２０１０−１６４７３１号の一部を新たな特許出願とした特願２０１２−２５６１３１号の一部をさらに新たな特許出願とした特願２０１６−７４８４６号の一部を平成２８年９月７日に新たな特許出願としたものであって、平成２９年６月３０日付けで拒絶理由が通知され、同年９月１日に手続補正がされ、同年１２月６日付けで拒絶理由が通知され、平成３０年３月２０日付けで拒絶の査定（発送日：同年３月２７日、以下「原査定」という。）がされ、同年６月２６日に拒絶査定に対する審判の請求がされたものである。　
２．本願発明
　本願の請求項１ないし７に係る発明は、平成２９年９月１日にされた手続補正により補正された、特許請求の範囲の請求項１ないし７に記載された事項によって特定されるものであり、そのうち請求項１に係る発明（以下、「本願発明」という。）は、次のとおりのものである。
　
「表示面を有する表示一体型操作パネルと、
　前記表示面上に、ユーザによる操作を受付けることが可能な第１のユーザインターフェイス（ＵＩ）部品の画像を表示するための第１のＵＩ部品表示手段と、
　前記第１のＵＩ部品表示手段により前記表示面上に表示された前記第１のＵＩ部品がユーザの操作を検知したことに応答して、当該第１のＵＩ部品に対応付けられた処理を起動するための処理起動手段と、
　前記処理起動手段により起動されるべき処理の障害となる事象の発生を検知したことに応答して、前記表示面上に、当該障害となる事象に関するメッセージを含む第２のＵＩ部品を表示する第２のＵＩ部品表示手段と、
　前記障害となる事象が解消されたことを受けて、ユーザによる操作を受けることなく、前記第２のＵＩ部品を消去する第２のＵＩ部品消去手段とを含む、表示操作装置。」
３．引用文献に記載された事項
　
（１）原査定の拒絶理由おいて引用した特開２００５−２２９６４４号公報（以下「引用文献１」という。）には、以下の事項が記載されている。（下線は、強調のために当審で付与した。以下同じ。）
　
ア．「【０００９】
　以下、本発明の実施の形態について図面を参照しつつ詳細に説明する。図１は、本発明に係る画像読取装置の一実施形態を示す概略構成図である。図示した
画像読取装置１は、ＣＰＵ
２、スキャナ３、ＲＯＭ
４、ＲＡＭ
５、ネットワークインタフェース
６、操作表示部７、ハードディスク
８から構成され、
【００１０】
　スキャナ３は、図示せぬ原稿台にセットされた原稿の画像を読み取るものである。ＲＯＭ４は、スキャナ３で読み取った画像データの送信先装置で使用する機能のデフォルト値、及びＣＰＵ２の処理動作に必要な各種の制御プログラムやデータを格納している。ＲＡＭ５は、プログラム実行時のワークメモリや、ネットワークインタフェースの通信用バッファとして使用される。ネットワークインタフェース６は、ネットワーク１２に接続された画像出力装置１０，１１との間で通信を行うためのインタフェースである。
【００１１】
　
操作表示部７は、ユーザに対して各種の操作メニューを表示する一方、スキャナ３による原稿画像の読み取り開始をユーザ側で操作指示したり、これに表示された各種の操作メニューにしたがって、ユーザが画像データの送信先装置及びその送信先装置での処理内容を選択するためのものであ
画像出力装置１０，１１は、
画像読取装置１から指示された処理内容
に従って所定の処理
を行うものであ
【００１２】　　　　　　
　ＣＰＵ２は、ＲＯＭ４から読み出された制御プログラムに従って処理動作を行い、画像読取装置１全体の処理動作を制御するものである。例えば、操作表示部７を介してユーザにより選択された処理内容を、画像データの送信先装置で直ちに実行可能であるか否かの判定処理を行う。また、その判定処理の結果に基づいて、スキャナ３により読み取られた画像データの送信処理や、送信先装置に対する画像データの送信モードの変更処理を行う。さらに、送信先装置での障害の発生を検知し、その検知結果に基づいてスキャナ３の読み取り動作を制御する。
【００１３】
　次に、ＣＰＵ２の処理動作に従った画像読取装置の動作手順につき、図２及び図３のフローチャートを用いて説明する。先ず、ＣＰＵ２は、スキャナ３によって読み取られる画像データの送信先装置が選択表示部７を介してユーザにより選択されたか否かを判定する（ステップＳ１）。ここで、
操作表示部７における選択メニューには、ネットワーク１２上で利用可能な画像出力装置
の一覧が、
表示され
ユーザ側では、操作表示部７に表示された情報を基に、所望の画像出力装置をボタン操作等により選択
【００１４】　　
　次に、ユーザによって画像データの送信先装置が選択されると、
ＣＰＵ２は、ユーザにより選択された
画像出力装置１０に対して装置情報を問い合わせ、これに応答した画像出力装置１０からの装置情報を取得
【００１５】
　次いで、先ほど取得した装置情報内に記述された状態情報を調べて、データ送信先となる画像出力装置１０に紙詰まりなどの障害が発生していないかどうかを判定する（ステップＳ３）。このとき、
画像出力装置１０で障害が発生していれば、ユーザにより選択された
画像出力装置１０に障害が発生している旨のコメントやコード等を操作表示部７に表示したのち、画像の読み取り開始を指示するスタートボタン
をロック状態
にして、スキャナ３による画像の読み取りを禁止する
【００１６】
　これにより、送信先装置となる画像出力装置１０で障害が発生している状況下においては、スキャナ３による画像の読み取りが実行されることがなくなる。したがって、画像出力装置１０が復旧するまでの間、画像読取装置１または画像出力装置１０の蓄積手段に画像データが蓄積されることで、蓄積手段を利用する他の処理に悪影響を与えることもなくなる。」
イ．引用文献１の上記「【００１５】・・・このとき、画像出力装置１０で障害が発生していれば、ユーザにより選択された
送信先装置
即ち画像出力装置１０
　　
　前記の記載を総合すると、引用文献１には、次の発明（以下「引用発明１」という。）が開示されていると認められる。
「画像読取装置１は、ＣＰＵ２、スキャナ３、ＲＯＭ４、ＲＡＭ５、ネットワークインタフェース６、操作表示部７、ハードディスク８から構成され、操作表示部７は、ユーザに対して各種の操作メニューを表示する一方、スキャナ３による原稿画像の読み取り開始をユーザ側で操作指示したり、これに表示された各種の操作メニューにしたがって、ユーザが画像データの送信先の画像出力装置及びその送信先の画像出力装置での処理内容を選択するためのものであり、画像出力装置１０，１１は、画像読取装置１から指示された処理内容に従って所定の処理を行うものであり、操作表示部７における選択メニューには、ネットワーク１２上で利用可能な画像出力装置の一覧が、表示され、ユーザ側では、操作表示部７に表示された情報を基に、所望の画像出力装置をボタン操作等により選択し、ＣＰＵ２は、ユーザにより選択された画像出力装置１０に対して装置情報を問い合わせ、これに応答した画像出力装置１０からの装置情報を取得し、画像出力装置１０で障害が発生していれば、ユーザにより選択された画像出力装置１０に障害が発生している旨のコメントやコード等を操作表示部７に表示したのち、画像の読み取り開始を指示するスタートボタンをロック状態にして、スキャナ３による画像の読み取りを禁止する画像読取装置１。」
４．対比
本願発明と引用発明１とを対比する。
（１）引用発明１の「ユーザに対して各種の操作メニューを表示する一方、スキャナ３による原稿画像の読み取り開始をユーザ側で操作指示したり、これに表示された各種の操作メニューにしたがって、ユーザが画像データの画像出力装置及びその画像出力装置での処理内容を選択するためのもの」である「操作表示部７」は、操作のための選択メニューを表示するものであり、そのような「操作表示部」は板状（パネル状）のものが一般的であるから、本願発明の「表示面を有する表示一体型操作パネル」と引用発明１の「操作表示部７」とは、「操作のための選択メニューを表示する表示操作パネル」である点で共通するものである。
　
（２）引用発明１の「操作表示部７における選択メニュー」に「表示され」る「ネットワーク１２上で利用可能な画像出力装置の一覧」は、「ユーザ側で」、「操作表示部７に表示された情報を基に、所望の画像出力装置をボタン操作等により選択」するために用いられるものであるから、本願発明の「前記表示面上に、ユーザによる操作を受付けることが可能な第１のユーザインターフェイス（ＵＩ）部品」と、引用発明１の「操作表示部７における選択メニュー」に「表示され」る「ネットワーク１２上で利用可能な画像出力装置の一覧」は、「操作のための選択メニューを表示する表示操作パネルの表示画面上に、ユーザによる操作により選択可能に表示される第１のユーザインターフェイス部品」である点において共通し、引用発明１の「操作表示部７」が、「ネットワーク１２上で利用可能な画像出力装置の一覧」を「表示する」ことは、本願発明１の「第１のＵＩ部品表示手段」により「第１のユーザインターフェイス（ＵＩ）部品の画像」を表示することに相当するものである。
（３）引用発明１は、「操作表示部７」に「表示された各種の操作メニューにしたがって、ユーザが画像データの送信先の画像出力装置及びその送信先の画像出力装置での処理内容を選択する」ものであり、「操作表示部７における選択メニューには、ネットワーク１２上で利用可能な画像出力装置の一覧が、表示され、ユーザ側では、操作表示部７に表示された情報を基に、所望の画像出力装置をボタン操作等により選択」するものであるから、引用発明１は「操作表示部７」に表示された「利用可能な画像出力装置の一覧」から「所望の画像出力装置をボタン操作等により選択」する画像出力装置の選択処理を実行するものといえるし、選択処理を実行する以上、「そのような処理を起動する手段」を有することも技術常識に照らせば明らかというべきである。
　してみると、引用発明１の当該そのような処理を起動する手段、すなわち「操作表示部７に表示されたネットワーク１２上で利用可能な画像出力装置の一覧から、所望の画像出力装置をボタン操作等により選択」し、その選択された画像出力装置を選択する処理を起動する手段と、本願発明の「前記第１のＵＩ部品表示手段により前記表示面上に表示された前記第１のＵＩ部品がユーザの操作を検知したことに応答して、当該第１のＵＩ部品に対応付けられた処理を起動するための処理起動手段」とは、「前記第１のＵＩ部品表示手段により前記表示画面上に表示された前記第１のＵＩ部品がユーザの操作により選択されたことに応答して、当該第１のＵＩ部品に対応付けられた処理を起動するための処理起動手段」である点で共通するものといえる。
（４）引用発明１の「ユーザにより選択された画像出力装置１０に対して装置情報を問い合わせ、これに応答した画像出力装置１０からの装置情報を取得し、画像出力装置１０で障害が発生していれば、ユーザにより選択された画像出力装置１０に障害が発生している旨のコメントやコード等を操作表示部７に表示」することは、本願発明１の「第１のＵＩ部品に対応付けられた処理」に相当する。
　引用発明１の「画像出力装置の選択処理」により選択しようとする「画像出力装置」に「障害が発生している」旨のコメントやコード等が表示されることは、当該画像出力装置を選択する上での障害となる事象が発生していることにほかならないし、ここでの「画像出力装置」に「障害が発生している」旨の「コメントやコード等を操作表示部に表示」することは、本願発明１の「障害となる事象に関するメッセージを含む第２のＵＩ部品」を「表示する」ことに相当する。
（５）引用発明１は、「ユーザにより選択された画像出力装置に対して装置情報を問い合わせ、これに応答した画像出力装置１０からの装置情報を取得し」て障害が発生しているか否かを判断しているから、本願発明１と引用発明１とは、「処理起動手段により起動されるべき処理の障害となる事象の発生を」「検知」している点で共通するものといえる。
　以上のことより、両者は、　
　　
〈一致点〉
「操作のための選択メニューを表示する一操作パネルと、
　前記操作パネルの表示画面上に、ユーザによる操作により選択可能に表示される第１のユーザインターフェイス（ＵＩ）部品の画像を表示するための第１のＵＩ部品表示手段と、
　前記第１のＵＩ部品表示手段により前記表示画面上に表示された前記第１のＵＩ部品がユーザの操作により選択されたことに応答して、当該第１のＵＩ部品に対応付けられた処理を起動するための処理起動手段と、
　前記処理起動手段により起動されるべき処理の障害となる事象の発生を検知したことに応答して、前記表示画面上に、当該障害となる事象に関するメッセージを含む第２のＵＩ部品を表示する第２のＵＩ部品表示手段と、
　を含む、表示操作装置。」
　である点で一致し、以下の点で相違している。
＜相違点＞　
相違点１：本願発明の「表示面を有する表示一体型操作パネル」は、「表面上」に「ユーザによる操作を受付けることが可能なユーザインターフェイス部品の画像を表示する」ものであり、「当該ユーザインターフェース部品」が「ユーザの操作を検知」するものであるのに対して、引用発明１の「操作表示部」は、「選択メニュー」が「表示され、ユーザ側」が「操作表示部に表示された情報を基に」「ボタン操作等により選択」するものである点。
相違点２：本願発明が「障害となる事象が解消されたことを受けて、ユーザによる操作を受けることなく」、「第２のＵＩ部品を消去する第２のＵＩ部品消去手段」を備えているのに対して、引用発明１が当該手段を備えているか否かが不明である点。
５．判断
（１）相違点１について検討する。
　タッチパネル上に表示されたボタンなどのユーザインターフェイス部品をユーザがタッチしたことを検知することで、当該ボタンが操作されたことを検知することは、ＧＵＩ画像などとして、原出願日前に従来周知の技術（以下、「周知技術１」という。なお、必要であれば、特開２０１０−８８００６号公報の「【００２１】・・・複合機１のフロント部には、入力操作部４７が設けられている。入力操作部４７には、ユーザが印刷実行指示を入力するためのスタートキー４７１と、・・・を表示し、これら各種設定入力用にタッチパネル機能を有する液晶ディスプレイ等からなる表示パネル４７３と、・・・が備えられている。」との記載、及び、特開２０１０−９３４１７号公報の「【０１０４】図４は、図２及び図３で説明したデジタル複合機の標準画面の例を示す図である。図４では、標準画面として、デジタル複合機１においてタッチパネル３２に表示されるＧＵＩ画像の一例（ＧＵＩ画像４０とする）を示している。標準画面のＧＵＩ画像４０は、デジタル複合機１の電源がＯＮになったりリセットされたときにタッチパネル３２に表示される。このＧＵＩ画像４０では、デジタル複合機１の動作モードを選択するために、コピーモード選択キー４１、イメージ送信モード選択キー４２、ドキュメントファイリングモード選択キー４３が表示されており、ＧＵＩ画像４０ではコピーモードが選択されている状態を示す。」との記載を参照されたい。）であり、上記周知技術１を適用して、引用発明１の「操作表示部」を「ネットワーク上で利用可能な画像出力装置の一覧」をＧＵＩ画像として表示するようにして、相違点１に係る本願発明の発明特定事項の如く構成することに、格別の困難性はない。
　
（２）相違点２について検討する。
　例えば、特開２００８−６２４７９号公報には「【００２８】・・・表示（３）は、エラー発生時の表示「エラーが発生しました」を表している。更に、画面下部に（エラー有り）と表示されエラーが回復するまで表示が継続され、エラーが回復すると消滅する。・・・」、特開２００２−３５１６２８号公報には「【００２８】次・・・各操作端末は受け取ったエラーメッセージをモニタ２２又は３４に表示する（＃３６）。トラブルが解消されると、一時格納モジュール５４のエラーメッセージが消去されるので、操作端末でのエラーメッセージの表示が中止される（＃３７）。」と記載されているように、障害が発生した場合に、障害を報知するメッセージを表示し、障害が解消した場合に、そのメッセージを自動的に消去することは、原出願日前において周知の技術事項（以下、「周知技術２」という。）であると認められるから、上記周知技術２を採用して、引用発明１の「ユーザにより選択された画像出力装置１０に障害が発生している旨のコメントやコード等を操作表示部７に表示した」後に、当該障害が解消した場合に、「操作表示部７に表示したコメントやコード等」を消去するようにして、相違点２に係る本願発明の発明特定事項の如く構成することは、当業者が適宜なし得る程度のことにすぎない。
　したがって、本願発明は、引用発明１、上記周知技術１及び２に基づいて、当業者が容易に発明をすることができたものである。
６　むすび
　以上のとおり、本願発明は、引用発明１、上記周知技術１及び２に基づいて、当業者が容易に発明をすることができたものであるから、特許法第２９条第２項の規定により特許を受けることができない。
　したがって、本願は、他の請求項について検討するまでもなく、拒絶されるべきものである。